(57)【要約】【課題】腕時計（１）の着用者にメッセージをブロードキャストする方法を提供すること。【解決手段】方法は、この腕時計（１）の機能に関連する情報データを、腕時計（１）の処理ユニット（２）によって受信するステップ（１０）、並びに、受信した情報データに関連するメッセージ信号を、腕時計（１）のタッチレンダリングインタフェース（３）に送信するステップ（１４）を含み、インタフェース（３）はメッセージを腕時計（１）の着用者に伝達するように構成されている。【選択図】図１
2020076779.tif 000002
【特許請求の範囲】
【請求項１】
腕時計（１）の着用者にメッセージをブロードキャストする方法であって、
前記方法は、前記腕時計（１）の機能に関連する情報データを、前記腕時計（１）の処理ユニット（２）によって受信するステップ（１０）、
並びに、受信した前記情報データに関連するメッセージ信号を、前記腕時計（１）のタッチレンダリングインタフェース（３）に送信するステップ（１４）を含み、
前記インタフェース（３）は前記メッセージを前記腕時計（１）の前記着用者に伝達するように構成されている、方法。
【請求項２】
前記データの少なくとも１つの記述的特徴を抽出するサブステップ（１２）を含む、前記情報データを処理するステップ（１１）を含むことを特徴とする、請求項１に記載の方法。
【請求項３】
前記抽出するサブステップ（１２）は、前記情報データ中の少なくとも１つの記述的特徴を抽出基準に従って選択する段階（１３）を含むことを特徴とする、請求項２に記載の方法。
【請求項４】
前記抽出基準は、前記腕時計の前記着用者によって事前に定義され、とりわけ、選択される、数及び前記少なくとも１つの記述的特徴を含むことを特徴とする、請求項３に記載の方法。
【請求項５】
前記送信するステップ（１４）は、前記情報データから抽出された前記少なくとも１つの記述的特徴に基づき、前記信号の設計基準を選択するサブステップ（１５）を含むことを特徴とする、請求項３又は４に記載の方法。
【請求項６】
前記設計基準は、前記タッチレンダリングインタフェース（３）の動作用のデータを含み、前記データは、前記インタフェース（３）を形成する振動要素（４）の各々に対して定義された少なくとも１つの周波数及び少なくとも１つの振幅を含むことを特徴とする、請求項５に記載の方法。
【請求項７】
前記情報データは、全ての種類の通信媒体、例えば、ショートメッセージ、インスタントメッセージ、電子メール又は通知メッセージ、に関連する記述的特徴のセットを含むことを特徴とする、請求項１から６のいずれか１項に記載の方法。
【請求項８】
前記信号は、前記メッセージのブロードキャストの持続時間の間に、前記タッチレンダリングインタフェース（３）の前記振動要素（４）の各々の個別の制御命令を含むことを特徴とする、請求項１から７のいずれか１項に記載の方法。
【請求項９】
請求項１から８のいずれか１項に記載の方法を実装した、とりわけ高性能な腕時計（１）であって、
前記腕時計は、処理ユニット（２）、及び複数の振動要素（４）が設けられたタッチレンダリングインタフェース（３）を備え、
前記処理ユニット（２）は前記タッチレンダリングインタフェース（３）に接続されている、腕時計（１）。
【請求項１０】
前記タッチレンダリングインタフェース（３）は前記腕時計（１）の部分の全てに又は一部だけに画定されており、前記部分は前記着用者の皮膚と接触することが意図されていることを特徴とする、請求項９に記載の腕時計（１）。
【請求項１１】
プログラムコード命令を含むコンピュータプログラムであって、前記プログラムコード命令は、前記コンピュータプログラムが腕時計（１）の処理ユニット（２）によって実行された場合に、請求項１から８のいずれか１項に記載の方法の前記ステップ（１０から１７）を実行する、コンピュータプログラム。
【発明の詳細な説明】
【技術分野】
【０００１】
本発明は、腕時計の着用者にメッセージをブロードキャストする方法に関する。
【０００２】
本発明はまた、本方法を実装した腕時計、並びにコンピュータプログラムに関する。
【背景技術】
【０００３】
従来技術では、ショートメッセージ、インスタントメッセージ又は電子メールなどのメッセージを見ることは慣例的に、スマートウォッチの着用者によって、腕時計上で操作する動作を複数回行った後に、この腕時計のダイヤル上で、このメッセージの内容を目視することにより行われている。しかし、これらメッセージを目視するそのようなモードは、腕時計の着用者が直面し得る全ての状況に、とりわけ２本の手を使用することが絶対に必要であるという状況に、必ずしも適合されていない。
【０００４】
この欠点を克服するために、音声を介して、これらメッセージを視聴することが可能な腕時計が知られている。
【０００５】
しかし、これら腕時計の大きな欠点は、そのような視聴モードは、静寂が絶対に必要な場所を支配している静寂を妨害する場合に、腕時計の着用者にとって不快感をもたらす可能性がある。
【０００６】
従って、特に従来技術の欠点を持たない、代替的な解決策を見つける必要が存在すると理解されている。
【発明の概要】
【０００７】
従って、本発明の目標の１つは、メッセージをブロードキャストして、簡単、迅速、及び別個の形態で、腕時計の着用者にメッセージが通知されることが可能な方法を提案することである。
【０００８】
この目的のために、本発明は、腕時計の着用者にメッセージをブロードキャストする方法に関し、方法は、この腕時計の機能に関連する情報データを、腕時計の処理ユニットによって受信するステップ、並びに、受信した情報データに関連するメッセージ信号を、腕時計のタッチレンダリングインタフェースに送信するステップを含み、インタフェースはメッセージを腕時計の着用者に伝達するように構成されている。
【０００９】
他の実施形態では、
方法は、データの少なくとも１つの記述的特徴を抽出するサブステップを含む、情報データを処理するステップを含み、
抽出するサブステップは、情報データ中の少なくとも１つの記述的特徴を抽出基準に従って選択する段階を含み、
抽出基準は、腕時計の着用者によって事前に定義され、とりわけ、選択される、数及び少なくとも１つの記述的特徴を含み、
送信するステップは、情報データから抽出された少なくとも１つの記述的特徴に基づき、信号の設計基準を選択するサブステップを含み、
設計基準はタッチレンダリングインタフェースの動作用のデータを含み、データは、インタフェースを形成する各振動要素に対して定義された少なくとも１つの周波数及び少なくとも１つの振幅を含み、
情報データは、全ての種類の通信媒体、例えば、ショートメッセージ、インスタントメッセージ、電子メール又は通知メッセージ、に関連する記述的特徴のセットを含み、
信号は、メッセージのブロードキャストの持続時間の間に、タッチレンダリングインタフェースの各振動要素の個別の制御命令を含む。
【００１０】
本発明はまた、本方法を実装した、とりわけ高性能な腕時計に関し、腕時計は、処理ユニット、及び複数の振動要素が設けられたタッチレンダリングインタフェースを備え、処理ユニットはタッチレンダリングインタフェースに接続されている。
【００１１】
有益には、タッチレンダリングインタフェースは腕時計の部分の全てに又は一部だけに画定されており、この部分は着用者の皮膚と接触することが意図されている。
【００１２】
本発明はまた、プログラムコード命令を含むコンピュータプログラムに関し、プログラムコード命令は、コンピュータプログラムが腕時計の処理ユニットによって実行されたときに、この方法のステップを実行する。
【００１３】
他の特徴及び利点は、添付の図面を参照して、決して限定することなく情報提示の目的として以下に与えられる記載から明らかになるであろう。
【図面の簡単な説明】
【００１４】
【図１】本発明の一実施形態による、腕時計の着用者にメッセージをブロードキャストする方法に関連するフローチャートを示す。
【図２】本発明の一実施例による、本方法を実装した腕時計を示す。
【発明を実施するための形態】
【００１５】
図１は、腕時計の着用者にメッセージをブロードキャストする方法を表す。この方法は、腕時計１の着用者に、例えば、受信したメッセージの内容、及び／又は通知メッセージの内容を、個別の形態で、すなわち、この腕時計１の音声インタフェースにより音声を出すことなく、かつ着用者の腕時計のダイヤルを着用者が目視する必要なく、知らせる／通知することを目標としている。この腕時計１では、通知メッセージは、従って、腕時計の機能に関連する事象の識別に関連するアラートに関連し得る内容を含み、これは例えばショートメッセージ又はインスタントメッセージの受信に関連するアラートであり得ることに留意されたい。
【００１６】
これに関連して、とりわけタッチレンダリングインタフェース３を介して、腕時計１によって着用者にブロードキャストされるメッセージはタッチアラートである。実際、そのようなインタフェース３により、着用者はメッセージをタッチによって感知することが可能になる。換言すれば、着用者によるこのメッセージの受信は、着用者のタッチ感覚認知を用いている。このメッセージが通知メッセージである一例では、通知メッセージの内容がガールフレンドからの不在着信に関連する場合は、着用者は愛撫の感覚を着用者の皮膚上で感知することができ、又は、代替例では、着用者はハート形状の輪郭の実現を着用者の皮膚上で感知することができる。
【００１７】
そのような方法は、腕時計１、とりわけ図２に示すスマートウォッチによって実現される。そのような腕時計１は、非限定的及び非網羅的に、
物理的リソース及びソフトウェアリソース、特に、メモリ要素と協働する少なくとも１つのプロセッサ、を備える処理ユニット２と、
電気信号を機械的振動に変換できるトランスデューサなどの複数の振動要素４（例えば、複数の圧電要素）を備えるタッチレンダリングインタフェース３と、
第１のアナログ表示構成要素、並びに第２のデジタル及び／又は英数字表示構成要素が設けられたハイブリッド表示ダイヤル５と、
スピーカとしての音声インタフェース６と、
通信モジュール７と、
機械式又は電子式ムーブメント８と、
環境、挙動、及び／又は生理学的センサ９と、
を備える。
【００１８】
腕時計１のこの処理ユニット２は、なかでも、音声インタフェース６、タッチレンダリングインタフェース３、振動要素４、表示ダイヤル５、通信モジュール７、ムーブメント８、並びに環境、挙動及び／又は生理学的センサ９にリンク／接続されている。
【００１９】
この腕時計１では、タッチレンダリングインタフェース３は腕時計１の部分の全てに又は一部だけに画定されており、この部分は、例えば着用者の手首に画定される着用者の皮膚と接触することが意図されている。換言すれば、このタッチレンダリングインタフェース３は、皮膚と接触するために腕時計ケースの底部の表面内／上に、及び／又は皮膚と接触するために腕時計バンドの表面内／上に設けられ得る。第１の実現例では、このタッチレンダリングインタフェース３の振動要素４は、腕時計ケース１の底部の内面の全て又は一部に配置され得る。第２の例では、これら振動要素４は、腕時計バンド内に、又はこの腕時計バンドの接触面に、特に、この腕時計バンドの少なくとも１つのストランド内に配置され得る。この例では、この腕時計バンドの接触面は好ましくは変形可能であることに留意されたい。第３の例では、これら振動要素４は、腕時計ケースの底部の接触面に配置され、この接触面は好ましくは変形可能である。第４の例では、タッチレンダリングインタフェース３は振動要素４が配置される変形可能な支持膜を備える。この例では、この膜は従って、腕時計ケースの底部の接触面に及び／又は腕時計バンドの接触面に締結されることにより、腕時計１に追加された部分であり得る。一代替形態では、この膜は、腕時計ケース１の底部の接触面、及び／又は腕時計バンドの接触面と、一体として形成できる。
【００２０】
この腕時計１では、各振動要素４は、個別に処理ユニット２にリンク／接続されていることに留意されたい。そのような振動要素４は、例えば、圧電セラミックから、又は可撓性を有する圧電材料（ポリフッ化ビニリデン：ＰＶＤＦ）から作製することができ、非限定的に、円形形状を有し得るか、及び／又はフィルム又はスキンであり得る。そのような振動要素４は、およそ数ミリメートル又は更に数マイクロメートルの小さな厚さと共に、およそ数平方ミリメートル又は更に数平方マイクロメートルの特徴的寸法を有し得る。この構成において、処理ユニット２はこのタッチレンダリングインタフェース３の各振動要素４を個々に及び／又は別個に制御できる。
【００２１】
この腕時計１では、通信モジュール７は、とりわけＳＩＭカード（「加入者識別モジュール：Ｓｕｂｓｃｒｉｂｅｒ  Ｉｄｅｎｔｉｔｙ  Ｍｏｄｕｌｅ」の頭字語）を備えることによりセルラネットワークのシステムと、又はＷＬＡＮ無線ローカルネットワークと、接続を確立するように構成されており、通信技術、例えばＢｌｕｅｔｏｏｔｈ（登録商標）などを実装することもできる。これら状態では、腕時計１は、遠隔サーバ、コンピュータ、ましてはスマートフォンとデータを交換できる。
【００２２】
その上、腕時計１の環境センサ９は、環境パラメータ、例えば温度、気圧など、を測定するようにとりわけ適合されている。挙動センサ９に関しては、これらは、腕時計１の着用者の全ての種類の挙動特性、例えば、着用者が行った動き又はジェスチャなどを測定できる。これを行うために、これら挙動センサ９は１つ以上の慣性センサを備えることができ、これは、加速度計、ジャイロスコープ、又は小型多軸ジャイロメータのタイプであり、例えばＭＥＭＳ技術を用いて作製された多軸センサであって、加速度計及び／又はジャイロスコープに関連付けられた複数の軸線に応じた角速度及び線形加速度を検出できる。生理学的センサ９に関しては、これらは、着用者の生体の機能に関連するパラメータ、例えば、脈拍、血液酸素飽和度、皮膚インピーダンス、血圧、呼吸数、呼吸性不整脈、皮膚温、発汗速度、血液酸素飽和度、又は血流量などを測定できる。
【００２３】
そのような方法は、腕時計の機能に関連する情報データを処理ユニットによって受信するステップ１０を含む。この腕時計は実際に、機能のセットを含む。これら機能は、非限定的及び非網羅的な形態で、通話の管理、ＳＭＳ又はＭＭＳタイプのショートメッセージの管理、インスタントメッセージの管理、気圧測定、標高測定、温度測定、スポーツ結果の提供、ナビゲーション／案内支援の提供、心拍数測定、歩数測定、カレンダの提供、アラームの提供、に関連する。
【００２４】
これに関連して、情報データは、例えば、全ての種類の通信媒体、例えば、ショートメッセージ、ソーシャルネットワークから来るインスタントメッセージ、電子メール又は通知メッセージ、に関連する記述的特徴のセットを含む。ショートメッセージ又はインスタントメッセージに関しては、これらに関連する情報データは、通信モジュールを介して遠隔サーバから受信することができる。腕時計１の機能に関連する事象の識別から得られる通知メッセージに関する情報データについては、情報データは処理ユニット２によって、腕時計１のセンサ９から又は遠隔サーバから受信される。これに関連して、処理ユニット２による事象の識別は、例えば、
とりわけ、着用者の挙動若しくは生理学的パラメータ、又は環境パラメータなどを、この処理ユニットによってモニタする場合は、１つ以上のセンサ９から得られた測定値が閾値を超過したと判断すること、
処理ユニット２によって通信モジュール７から受信された不在着信を受信すること、
処理ユニット２によって通信モジュールを介して遠隔サーバから受信された、ショートメッセージ若しくはインスタントメッセージ、又は一通の電子メールを受信すること、
腕時計１の動作モードを起動させること、
アラーム時計用のアラーム、会議用のアラーム、薬摂取用のアラームなどのアラームをトリガすること、
などに対応し得ることに留意されたい。
【００２５】
これら状態では、情報データは記述的特徴のセットを含み、記述的特徴は、
情報データのカテゴリ、例えばショートメッセージ若しくはインスタントメッセージ、又は電子メール、
メッセージの内容、例えばテキスト、画像、
情報データの受信の時刻／日付、
送信者の連絡要素、例えば姓、名など、
送信者のプロファイル、例えば家族、親しい友人、職場の同僚、顧客、ボーイフレンド／ガールフレンド、配偶者など、
を含むことができる、ショートメッセージ又はインスタントメッセージ又は電子メールと、
識別された事象のカテゴリ、例えば、アラーム時計用のアラーム、会議用のアラーム、薬摂取用のアラーム、不在着信、着用者の挙動若しくは生理学的パラメータ又は環境パラメータの新しい測定など、
識別された事象の時刻／日付、例えば不在着信の時刻、測定の時刻など、
を含むことができる、通知メッセージと、
に関連する。
【００２６】
加えて、通知メッセージが、例えば、不在着信、又は、ショートメッセージ若しくはインスタントメッセージに関連する特徴の新しいセットの受信、に関連する場合は、これらの特徴は、
送信者／発呼者の連絡要素、例えば姓、名など、
送信者／発呼者のプロファイル、例えば家族、親しい友人、職場の同僚、顧客、ボーイフレンド／ガールフレンド、配偶者など、
を更に含み得ることに留意されたい。
【００２７】
方法は次に、腕時計の機能に関連する情報データを処理するステップ１１を伴う。このステップ１１は、データの少なくとも１つの記述的特徴を抽出するサブステップ１２を含み、サブステップ１２は、情報データ中の少なくとも１つの記述的特徴を抽出基準に従って選択する段階１３を伴う。この抽出基準は、腕時計１の着用者によって事前に定義され、とりわけ、選択される記述的特徴の数及び種類を含む。従って、そのような基準が、この情報データ中に含まれる複数の特徴から選択される少なくとも１つの特徴を識別することを可能にする。例えば、記述的特徴のセットが、着用者の配偶者からの不在着信に関連する通知メッセージに関連し、抽出基準が２つの特徴の選択を伴う場合は、第１の特徴が識別された事象のカテゴリに関連し、第２の特徴が発呼者のプロファイルに関連し、次に、抽出された特徴は、第１の特徴については「通話」に、第２の特徴については「配偶者」に対応しなければならない。別の例では、記述的特徴のセットが、「ボンジュール」という用語のみを含むテキストを含有するＳＭＳタイプのショートメッセージに関連し、抽出基準が３つの特徴の選択を伴う場合は、第１の特徴は情報データのカテゴリに、第２の特徴はこのメッセージの内容に、第３の特徴は送信者の連絡要素に関連しなければならず、よって、抽出された特徴は、第１の特徴については「ショートメッセージ」、第２の特徴については「ボンジュール」、第３の特徴については送信者の名前である「Ｔｉｎｔｉｎ」、に対応する。
【００２８】
そのような抽出基準により、着用者にブロードキャストされるタッチメッセージの設計に関与する記述的特徴を定義することが可能になる。
【００２９】
方法は次に、受信した情報データに関連するメッセージ信号を、腕時計１のタッチレンダリングインタフェース３に送信するステップ１４であって、インタフェース３はアラートを腕時計１の着用者に伝達するように構成されている、送信するステップ１４、を含む。このステップ１４は、情報データから抽出された少なくとも１つの記述的特徴に基づき、メッセージ信号の設計基準を選択するサブステップ１５を含む。この設計基準は、情報データから抽出することが可能な１つ以上の記述的特徴に従って定義されている。この設計基準は好ましくは、処理ユニット２のメモリ要素内にアーカイブされている他の設計基準のように、腕時計の着用者によって事前に構成されている。そのような設計基準は、タッチレンダリングインタフェース３を形成する振動要素の動作シナリオを含む。従って、この設計基準は、腕時計１の着用者に伝達されることが意図されたこのメッセージに関連する信号の設計に関与している。例えば、第１の特徴が「通話」であり、第２の特徴が着用者の「配偶者」の場合は、よって、信号の設計基準は、タッチメッセージを設計することを目標とする動作シナリオを含み、タッチメッセージは、これら特徴に対して具体的に定義され、その内容は、腕時計１の着用者にタッチを介して通知する通知メッセージである。このタッチアラートは、例えば、着用者により感知される愛撫の感覚に、又は、一代替形態では、着用者の皮膚上での記号／パターンの感覚、例えばハート形状の輪郭の実現に対応させることができる。第１の特徴が「ショートメッセージ」、第２の特徴の用語が「ボンジュール」、及び第３の特徴の送信者の名前が「Ｔｉｎｔｉｎ」である別の例では、よって、信号の設計基準は、これら特徴に対して具体的に定義されたタッチメッセージを設計することを目標とする動作シナリオを含み、その内容は、ショートメッセージの内容であり、着用者にその内容を、本明細書では用語「ボンジュール」、及び名前「Ｔｉｎｔｉｎ」を通知し、このタッチメッセージを、着用者の皮膚上に、例えば「ボンジュール」及び「Ｔｉｎｔｉｎ」という文字形状の実現によって描く。
【００３０】
メッセージが、感情アイコンタイプの画像などの図形表現を含む場合は、処理ユニットは、例えば、この画像の主目的を識別し、その基本的形状を定義して、この形状を着用者の皮膚上に表現させるために、この画像のデジタル処理を実現させることができることに留意されたい。
【００３１】
信号の設計基準は、タッチレンダリングインタフェース３の動作用のデータを含む。より正確には、タッチレンダリングインタフェース３の動作用のこのデータは、インタフェース３を形成する各振動要素４に対して定義された少なくとも１つの周波数及び少なくとも１つの振幅を含む。特に、この動作用データは、
タッチメッセージのブロードキャストの持続時間と、
ブロードキャストの持続時間に対しての、各振動要素４の動作の少なくとも１つの時間／期間、又は、
タッチメッセージのブロードキャストの持続時間の全て若しくは一部の間の固有の動作時間、又は、
タッチメッセージのブロードキャストの持続時間の間の一連の動作時間と、
各動作時間に対して、
振動周波数及び振動振幅、又は、
振動周波数及び一連の振動振幅、又は、
一連の振動周波数及び一連の振動振幅、又は、
一連の振動周波数及び振動振幅と、
を含む。
【００３２】
一連の振動周波数は、類似した若しくは実質的に類似した周波数のみ、又は異なる若しくは実質的に異なる周波数のみ、又は類似した周波数と異なる周波数との組み合わせを含み得ることに留意されたい。同様に、一連の振幅は、類似した若しくは実質的に類似した振幅のみ、又は異なる若しくは実質的に異なる振幅のみ、又は類似した振幅と異なる振幅との組み合わせを含み得る。
【００３３】
このステップ１４は次に、設計基準に基づいてメッセージ信号を生成するサブステップ１６を含む。このサブステップ１６の間、処理ユニット２はこの設計基準に基づいて、タッチレンダリングインタフェース３の各振動要素４を個々に及び／又は別個に制御することを可能にするメッセージ信号を設計する。この信号は次に、信号を伝達するサブステップ１７の間に、処理ユニットによってタッチレンダリングインタフェース３に送られる。そのような信号は、タッチメッセージのブロードキャストの持続時間の間に、各振動要素４の個別の制御命令を含む。
【００３４】
この信号を受信した時点で、タッチレンダリングインタフェース３は、このメッセージを着用者の皮膚に放出／ブロードキャストする。従って、このメッセージは、非限定的及び非網羅的な形態で、
タッチに基づいた形態での、パターン／記号、文字、数字などの図形表現の輪郭の実現、すなわち、着用者の皮膚上で個人の指先の運動によって実現され得るようなもの、
着用者の皮膚上への図形表現の適用、例えば文字又は記号／パターンの形状の適用、
例えば、着用者に柔らかい、快適な、官能的な、又は逆に不快な知覚を生成することを目標とした、波及び／又は振動する現象の生成、
に対応し得る。
【００３５】
本発明はまた、プログラムコード命令を含むコンピュータプログラムに関し、プログラムコード命令は、コンピュータプログラムが腕時計１の処理ユニット２によって実行された場合に、本方法のステップ１０から１７を実行する。
【符号の説明】
【００３６】
１  腕時計
２  処理ユニット
３  タッチレンダリングインタフェース
４  振動要素
５  表示ダイヤル
６  音声インタフェース
７  通信モジュール
８  ムーブメント
９  センサ
１０  受信するステップ
１１  処理するステップ
１２  抽出するサブステップ
１３  選択する段階
１４  送信するステップ
１５  選択するサブステップ
１６  生成するサブステップ
１７  伝達するサブステップ
【図１】
2020076779.tif 000003
【図２】
2020076779.tif 000004
【外国語明細書】
2020076779000001.pdf